(57)【要約】【課題】自装置の処理能力及び消費電力を考慮した、かつ、視認性を損なうことのない画像処理を行なうことが可能な電子機器を提供する。【解決手段】入力コンテンツを拡大縮小することによって、表示領域に表示コンテンツを表示させる携帯電話機である。表示倍率を取得する表示倍率取得部３２と、表示コンテンツの視認性の度合いを判断基準として、予め設定された複数の映像信号フォーマットから、入力コンテンツを拡大縮小するときの映像信号フォーマットを選択する映像信号フォーマット選択部３５と、映像信号フォーマット選択部３５が選択した映像信号フォーマットを用いて、入力コンテンツを拡大縮小する拡大縮小処理部３６とを備える。【選択図】図１
2012074851.tif 000002
【特許請求の範囲】
【請求項１】
入力コンテンツを拡大縮小することによって、表示領域に表示コンテンツを表示させる電子機器であって、
前記表示領域の表示解像度の、前記入力コンテンツの解像度に対する表示倍率を確定する表示倍率確定手段と、
前記表示倍率確定手段が確定した前記表示倍率を用いて前記表示領域に前記表示コンテンツを表示させたときにおける、前記表示コンテンツの視認性の度合いを判断基準として、予め設定された複数の映像信号フォーマットから、前記入力コンテンツを拡大縮小するときの映像信号フォーマットを選択する選択手段と、
前記選択手段が選択した映像信号フォーマットを用いて、前記入力コンテンツを拡大縮小する拡大縮小手段と
を備えることを特徴とする電子機器。
【請求項２】
前記選択手段が前記複数の映像信号フォーマットの何れを選択した場合でも前記表示コンテンツの視認性が同一であると判断するための視認条件を、前記表示倍率が満たすか否かを判定する条件判定手段をさらに備え、
前記選択手段は、前記条件判定手段の判定結果を前記判断基準として用いることによって、前記複数の映像信号フォーマットから、前記入力コンテンツを拡大縮小するときの映像信号フォーマットを選択することを特徴とする請求項１に記載の電子機器。
【請求項３】
２つの前記映像信号フォーマットに対し、前記映像信号フォーマットが示す解像度の、前記入力コンテンツの解像度に対する第１拡大率と、前記表示領域の表示解像度の、前記映像信号フォーマットが示す解像度に対する第２拡大率とを、前記映像信号フォーマット毎に算出し、当該第１拡大率と第２拡大率とを乗じた値を前記表示倍率とする拡大率算出手段をさらに備え、
前記条件判定手段は、前記拡大率算出手段が算出した前記映像信号フォーマットそれぞれの第１拡大率の差を、少なくとも１つの閾値と比較することにより、前記表示倍率が前記視認条件を満たすか否かを判定することを特徴とする請求項２に記載の電子機器。
【請求項４】
前記少なくとも１つの閾値は、前記表示領域の大きさが所定値よりも大きい場合に、高解像度の映像信号フォーマットが選択されるように設定されていることを特徴とする請求項３に記載の電子機器。
【請求項５】
コンピュータを請求項１から４の何れか１項に記載の電子機器として動作させるための制御プログラムであって、前記コンピュータを前記電子機器が備えている前記各手段として機能させる制御プログラム。
【請求項６】
請求項５に記載の制御プログラムが記録されたコンピュータ読み取り可能な記録媒体。
【発明の詳細な説明】
【技術分野】
【０００１】
本発明は、画像をデジタル処理する電子機器、制御プログラム及び記録媒体に関し、特に、自装置の処理能力及び消費電力を考慮した、かつ、視認性に優れた画像処理を行なう電子機器等に関するものである。
【背景技術】
【０００２】
携帯型の電子機器はますます高機能になって来ている。たとえば、静止画や動画を表示可能な携帯電話機や携帯型ゲーム機、デジタルカメラなどが広く普及している。また、このような電子機器には、ＪＰＥＧ（Joint Photographic Experts Group）やＧＩＦ（Graphic Interchange Format）などの様々な形式の画像データを再生できるものがある。たとえば、一般的な携帯電話機では、利用者が任意に選んだ画像データを携帯電話機の外部から取得、あるいは、携帯電話機に搭載されたカメラで撮影し、その取得した画像データを待ち受けモードでの壁紙として表示したり、携帯電話機のビューワで表示したりすることが可能である。
【０００３】
ところで、ＨＤＭＩ（High-Definition Multimedia Interface）を搭載するテレビなどの表示装置や電子機器が普及し、表示装置と電子機器とをＨＤＭＩケーブルを介して接続することが可能となって来ている。
【０００４】
たとえば、特許文献１には、映像フォーマット情報を取得するまで最も低い映像信号フォーマットに設定されており、接続されている表示機器が表示可能な映像フォーマット情報を取得したときに、その映像フォーマット情報が示す映像信号フォーマットに設定し、その映像信号フォーマットで表示機器に画像信号を出力する情報処理装置が開示されている。この映像信号フォーマットの設定のために、ユーザにその映像フォーマットを採用するか否かの問合せを行っている。
【０００５】
また、この情報処理装置では、ユーザ操作により、設定した映像信号フォーマットを解除することも可能である。すなわち、特許文献１の技術では、接続されている表示機器にあわせて映像信号フォーマットの切り替えを行なうことができる。
【０００６】
また、特許文献２には、入力映像の解像度及びビットレートと映像表示サイズ（拡大率）とが関連付けられたテーブルを参照することにより、入力された映像の解像度及びビットレートに応じた拡大率を決定する映像処理装置が開示されている。これにより、特許文献２の技術では、表示装置に適切なサイズで映像を表示させることができる。
【０００７】
特許文献２の技術は、表示画面の解像度よりも低い解像度の映像信号を表示画面まで拡大する手段を複数から選択するものである。
【０００８】
また、特許文献３には、入力映像の解像度が直前の解像度と異なる場合に、当該入力映像に対する拡大処理を行なう映像出力装置が開示されている。この映像出力装置では、直前の解像度よりも解像度が低下している場合には、その低下の度合いに応じたメッセージを、拡大処理された映像に重畳表示させる。これにより、特許文献３の技術では、ユーザがこのメッセージを見て、そのユーザにとって視認性に優れた映像を表示させることができるので、入力映像の解像度の変化による違和感を低減させることができる。
【０００９】
特許文献３の技術では、複数の映像出力を行っている条件において、片方の出力が停止した際に、もう片方を大きく表示するものである。
【００１０】
また、特許文献４の表示装置においても、入力映像の解像度と、これに対応付けられた拡大率とを示す解像度−拡大縮小テーブルを参照することにより、入力映像の解像度に応じた拡大率を決定することができる。
【００１１】
特許文献４の技術では、複数の解像度の異なるコンテンツを表示する条件において、コンテンツに応じて表示手段を切り替えるものである。
【００１２】
また、特許文献５には、２画面表示（ＰｉｎＰ表示）するときに、１画面表示の表示解像度よりも低いサブ画面の表示解像度にあわせて、画像の解像度（出力モード）を変換する表示装置が開示されている。これにより、特許文献５の技術では、受信データ処理、解像度変換の処理量を減らすことができるので、当該処理による装置の発熱や装置コストを低減させることができる。
【先行技術文献】
【特許文献】
【００１３】
【特許文献１】特開２００８−１０４１３１号公報（２００８年５月１日公開）
【特許文献２】特許４３５０７４２号（２００９年７月３１日登録）
【特許文献３】特開２００８−６７１０９号公報（２００８年３月２１日公開）
【特許文献４】特開２００７−２９２８１２号公報（２００７年１１月８日公開）
【特許文献５】特開２００９−１８８４４４号公報（２００９年８月２０日公開）
【発明の概要】
【発明が解決しようとする課題】
【００１４】
しかしながら、特許文献１では、ユーザ操作を取得することにより、映像信号フォーマットの切り替え処理を行っていた。すなわち、情報処理装置自身が表示映像の視認性を考慮してその切り替え処理を行っているわけではないので、ユーザにはその処理を行なうための手間が生じていた。また、特許文献１では、情報処理装置への入力画像の解像度に基づいて映像信号フォーマットの選択を行なう構成とはなっていない。
【００１５】
また、特許文献５においても、入力画像の解像度に基づいて表示画像の解像度を変換する構成とはなっていない。
【００１６】
また、特許文献２では、全画面に表示することを前提として入力映像の拡大率を決定しているわけではないので、入力映像の解像度及びビットレートによっては、映像処理装置に入力映像が画面の一部にしか表示されない。この場合、入力映像の解像度が低い場合には、その表示サイズが小さくなってしまうため、高品質な映像であっても表示映像の視認性が欠如してしまう可能性がある。
【００１７】
また、特許文献３では、メッセージを重畳表示することにより、入力映像の拡大処理の最適化をユーザ自身に行なわせている。すなわち、特許文献１と同様、映像出力装置自身が表示映像の視認性を考慮してその拡大処理の最適化を行っているわけではないので、ユーザにはその最適化を行なうための手間が生じていた。
【００１８】
さらに、特許文献３では、拡大処理後の映像の解像度が低い場合には、映像の表示サイズを小さくして表示映像の視認性を向上させているが、この場合、その表示サイズは小さくなってしまう。このため、特許文献２と同様、表示映像が小さくなることによってその視認性が欠如してしまう可能性がある。
【００１９】
さらに、特許文献１〜５では、入力映像の解像度と、予め設定されている複数の映像信号フォーマットのそれぞれとに応じて、当該映像信号フォーマット毎の入力映像の拡大率を決定（算出）しているものではない。つまり、特許文献１〜５では、映像信号フォーマット毎の入力映像の拡大率に基づいて、複数の映像信号フォーマットから、視認性の高い映像信号フォーマットを選択して入力映像に対するデコード処理を行っていなかった。
【００２０】
また、一般に、映像信号フォーマットが示す表示解像度が高いほど、入力映像の解像度を変更するための処理能力の高さ（パフォーマンスの高さ）が装置には要求される。従って、映像信号フォーマット毎の入力映像の拡大率に基づいて映像信号フォーマットの選択を行なわない場合、装置の処理能力及び消費電力を考慮した上で、視認性を損なうことのない画像処理を行って１画面表示を行なうことができない可能性があった。
【００２１】
本発明は、上記の問題を解決するためになされたもので、その目的は、自装置の処理能力及び消費電力を考慮した、かつ、視認性を損なうことのない画像処理を行なうことが可能な電子機器、制御プログラム及び記録媒体を提供することにある。
【課題を解決するための手段】
【００２２】
本発明に係る電子機器は、上記の課題を解決するために、入力コンテンツを拡大縮小することによって、表示領域に表示コンテンツを表示させる電子機器であって、前記表示領域の表示解像度の、前記入力コンテンツの解像度に対する表示倍率を確定する表示倍率確定手段と、前記表示倍率確定手段が確定した前記表示倍率を用いて前記表示領域に前記表示コンテンツを表示させたときにおける、前記表示コンテンツの視認性を判断基準として、予め設定された複数の映像信号フォーマットから、前記入力コンテンツを拡大縮小するときの映像信号フォーマットを選択する選択手段と、前記選択手段が選択した映像信号フォーマットを用いて、前記入力コンテンツを拡大縮小する拡大縮小手段とを備えることを特徴としている。
【００２３】
上記構成によれば、選択手段は、上記の表示倍率を用いた、表示コンテンツの視認性を判断基準として、入力コンテンツを拡大縮小するときの映像信号フォーマットを選択している。この選択は、表示コンテンツの視認性に違いがない場合には、低解像度の映像信号フォーマットを選択し、違いがある場合には、より高解像度の映像信号フォーマット（視認性を向上させることが可能な映像信号フォーマット）を選択することを意味している。つまり、選択手段は、視認性に違いがないと判断できる場合には、可能な限り低解像度の映像信号フォーマットを選択している。
【００２４】
ここで、一般的に、低解像度の映像信号フォーマットでの画像処理は、高解像度の映像信号フォーマットでの画像処理に比べ、その画像処理を行なう機器の処理能力を必要としない。そのため、上記のような映像信号フォーマットの選択処理によって、装置の処理能力を考慮した拡大縮小処理を、拡大縮小手段に行なわせることができる。
【００２５】
したがって、電子機器は、自機器の処理能力に考慮した上で、視認性を損なうことのない画像処理を行なうことができる。また、可能な限り低解像度の映像信号フォーマット（処理能力が要求されない映像信号フォーマット）を利用して画像処理を行なうため、消費電力を低減できるともに、自装置の処理能力が低い場合であっても、操作性高く、画質の良い画像を提供することができる。
【００２６】
なお、上記「画像処理」とは、入力コンテンツに対する拡大又は縮小処理に限らず、エンコードされた入力コンテンツをデコードする等、入力コンテンツに対する処理全般を含むものとする。
【００２７】
さらに、本発明に係る電子機器では、前記選択手段が前記複数の映像信号フォーマットの何れを選択した場合でも前記表示コンテンツの視認性が同一であると判断するための視認条件を、前記表示倍率が満たすか否かを判定する条件判定手段をさらに備え、前記選択手段は、前記条件判定手段の判定結果を前記判断基準として用いることによって、前記複数の映像信号フォーマットから、前記入力コンテンツを拡大縮小するときの映像信号フォーマットを選択することが好ましい。
【００２８】
上記構成によれば、条件判定手段は、表示倍率が視認条件を満たすかどうかを判定し、選択手段は、その判定結果を用いて、上述した映像信号フォーマットの選択処理を行なう。例えば、選択手段は、表示倍率が視認条件を満たす場合には、低解像度の映像信号フォーマットを選択する一方、満たさない場合には、より高解像度の映像信号フォーマットを選択する。
【００２９】
これにより、選択手段は、表示コンテンツの視認性を一定に維持しながら、自機器の処理能力を考慮した映像信号フォーマットの選択を行なうことができる。
【００３０】
さらに、本発明に係る電子機器では、２つの前記映像信号フォーマットに対し、前記映像信号フォーマットが示す解像度の、前記入力コンテンツの解像度に対する第１拡大率と、前記表示領域の表示解像度の、前記映像信号フォーマットが示す解像度に対する第２拡大率とを、前記映像信号フォーマット毎に算出し、当該第１拡大率と第２拡大率とを乗じた値を前記表示倍率とする拡大率算出手段をさらに備え、前記条件判定手段は、前記拡大率算出手段が算出した前記映像信号フォーマットそれぞれの第１拡大率の差を、少なくとも１つの閾値と比較することにより、前記表示倍率が前記視認条件を満たすか否かを判定することが好ましい。
【００３１】
上記構成によれば、２つの映像信号フォーマットに対し、拡大率算出手段は、上記の第１拡大率と第２拡大率とを乗じた値を表示倍率とし、条件判定手段は、映像信号フォーマットそれぞれの第１拡大率と閾値とを比較する。
【００３２】
つまり、条件判定手段は、表示倍率が視認条件を満たすか否かの判定を、映像信号フォーマットに直結した値（第１拡大率）を用いたときの比較結果により行なうため、選択手段による映像信号フォーマットの選択処理を確実に行なうことができる。
【００３３】
さらに、本発明に係る電子機器では、前記少なくとも１つの閾値は、前記表示領域の大きさが所定値よりも大きい場合に、高解像度の映像信号フォーマットが選択されるように設定されていることが好ましい。
【００３４】
上記構成によれば、表示領域が大きくなる程、表示コンテンツの画質の粗さが目立つようになる。上記のように閾値を設定することにより、画質の粗さが目立つ場合には、高解像度の映像信号フォーマットを選択できるので、表示領域が大きくなることによる画質の悪化を防ぐことができる。
【００３５】
また、上記電子機器が備えているコンピュータを動作させる制御プログラムであって、上記コンピュータを上記の各手段として実行させるための制御プログラム、及び当該制御プログラムを記録したコンピュータ読み取り可能な記録媒体も本発明の技術的範囲に含まれる。
【００３６】
上記制御プログラムによれば、コンピュータで上記手段を実現することにより、コンピュータ上で電子機器を実現することができる。また、上記記録媒体によれば、記録媒体から読み出される制御プログラムを、汎用のコンピュータ上で実現することができる。
【発明の効果】
【００３７】
本発明に係る電子機器は、以上のように、入力コンテンツを拡大縮小することによって、表示領域に表示コンテンツを表示させる電子機器であって、前記表示領域の表示解像度の、前記入力コンテンツの解像度に対する表示倍率を確定する表示倍率確定手段と、前記表示倍率確定手段が確定した前記表示倍率を用いて前記表示領域に前記表示コンテンツを表示させたときにおける、前記表示コンテンツの視認性を判断基準として、予め設定された複数の映像信号フォーマットから、前記入力コンテンツを拡大縮小するときの映像信号フォーマットを選択する選択手段と、前記選択手段が選択した映像信号フォーマットを用いて、前記入力コンテンツを拡大縮小する拡大縮小手段と、を備える構成である。
【００３８】
それゆえ、本発明の電子機器は、自装置の処理能力及び消費電力を考慮した、かつ、視認性を損なうことのない画像処理を行なうことができるという効果を奏する。
【図面の簡単な説明】
【００３９】
【図１】本発明の一実施形態に係る携帯電話機のメインコントローラの構成を示すブロック図である。
【図２】上記の携帯電話機を含むシステムの概略構成を示す図である。
【図３】上記のシステムに含まれるテレビの構成を示すブロック図である。
【図４】上記の携帯電話機の構成を示すブロック図である。
【図５】上記のメインコントローラのハードウェア構成を示すブロック図である。
【図６】上記のメインコントローラの動作を説明するためのフローチャートである。
【図７】上記のメインコントローラの条件判定部及び映像信号フォーマット選択部の具体的な動作を説明するための説明図である。
【図８】上記の携帯電話機のＨＤＭＩトランスミッタおよびテレビのＨＤＭＩレシーバの構成を示すブロック図である。
【図９】本発明の他の実施形態に係る携帯電話機のメインコントローラ１０９の構成を示すブロック図である。
【発明を実施するための形態】
【００４０】
以下図面を参照して、本発明の実施の形態を説明する。以下の図面の記載において、同一または類似の部分には同一または類似の符号を付している。なお、以下で参照する各図は、説明の便宜上、本発明の実施の形態における構成部材のうち、本発明を説明するために必要な主要部材のみを簡略化して示したものである。したがって、本発明に係る電子機器は、本明細書が参照する各図に示されていない任意の構成部材を備え得る。
【００４１】
（実施の形態１）
本発明の一実施形態について図１〜図８に基づいて説明すれば、以下のとおりである。本発明の実施の形態１においては、携帯型の電子機器として携帯電話機を例として説明するが、本発明の適用対象は携帯電話機に限定されるものではなく、例えば、ＰＨＳ（Personal Handy-phone System）、ＰＤＡ（Personal Digital Assistant）、ポータブルナビゲーション装置、ノートパソコン、ゲーム機、携帯型デジタルオーディオプレーヤなどにおいても本発明は適用可能である。なお、以下においては、シンク機器としてテレビジョン受像機（以下、単に「テレビ」と記す）を例示し、ソース機器として上記の携帯電話機を例示する。
【００４２】
（システム１０）
先ず、本発明の実施の形態１に係る携帯電話機１を含むシステム１０について説明する。図２は、システム１０の概略構成を示す図である。
【００４３】
図２に示すように、システム１０は、ＨＤＭＩ出力端子１１を具備する携帯電話機１と、ＨＤＭＩ入力端子２１を具備するテレビ２とを含んでおり、ＨＤＭＩ出力端子１１とＨＤＭＩ入力端子２１とがＨＤＭＩケーブル３を用いて接続されている。このシステム１０では、携帯電話機１はテレビ２に画像データを供給するソース機器として機能し、テレビ２は携帯電話機１から供給される画像データを出力するシンク機器として機能する。
【００４４】
（テレビ２）
次に、テレビ２について説明する。図３は、テレビ２の概略構成を示すブロック図である。
【００４５】
図３に示すように、テレビ２は、上記のＨＤＭＩ入力端子２１と、ＨＤＭＩレシーバ２００と、画像入力端子２０１と、音声入力端子２０２と、チューナ２０３と、画像セレクタ２０４と、画像処理回路２０５と、ＬＣＤコントローラ２０６と、ＬＣＤ（表示領域）２０７と、音声セレクタ２０８と、音声処理回路２０９と、デジタルアンプ２１０と、スピーカ２１１と、ＲＯＭ２１２と、ＲＡＭ２１３と、ＣＰＵ２１４と、を備えている。なお、図３では、画像信号の経路を実線（細線）で、音声信号の経路を１点鎖線で、データや制御信号の経路（バス）を実線（太線）で示している。
【００４６】
テレビ２では、ＨＤＭＩレシーバ２００によって受信される画像信号と、画像入力端子２０１によって入力される画像信号と、たとえば地上波デジタル放送用のチューナであるチューナ２０３によって受信される画像信号とは、それぞれ、画像セレクタ２０４に供給される。
【００４７】
また、ＨＤＭＩレシーバ２００によって受信される音声信号と、音声入力端子２０２によって入力される音声信号と、チューナ２０３によって受信される音声信号とは、それぞれ、音声セレクタ２０８に供給される。
【００４８】
画像セレクタ２０４は、ＨＤＭＩレシーバ２００、画像入力端子２０１及びチューナ２０３のそれぞれによって受信される画像信号のうちのいずれか１つを選択する。画像セレクタ２０４によって選択された画像は、画像処理回路２０５に供給される。なお、画像セレクタ２０４が何れの画像を選択するかについては、ＣＰＵ２１４によって制御される。
【００４９】
画像処理回路２０５は、画像セレクタ２０４から供給される画像の画質を調整する。ここで、画質の調整とは、例えば、輝度、シャープネス、及び、コントラストの少なくとも何れか１つを変化させることを指す。画像処理回路２０５によって画質が調整された画像は、ＬＣＤコントローラ２０６に供給される。なお、画像処理回路２０５が画質をどのように調整するかについては、ＣＰＵ２１４によって制御される。
【００５０】
ＬＣＤコントローラ２０６は、画像処理回路２０５から供給された映像が表示されるようにＬＣＤ２０７を駆動する。これにより、画像セレクタ２０４によって選択された画像（表示コンテンツ）がＬＣＤ２０７に表示される。
【００５１】
音声セレクタ２０８は、ＨＤＭＩレシーバ２００、音声入力端子２０２、チューナ２０３のそれぞれによって受信される音声のうちのいずれか１つを選択する。音声セレクタ２０８によって選択された音声は、音声処理回路２０９に供給される。なお、音声セレクタ２０８が何れの音声を選択するかについては、ＣＰＵ２１４によって制御される。ただし、画像セレクタ２０４による画像選択と、音声セレクタ２０８による音声選択とは連動しており、たとえば、画像セレクタ２０４がＨＤＭＩレシーバ２００からの画像を選択した場合には、音声セレクタ２０８はＨＤＭＩレシーバ２００からの音声を選択することになる。
【００５２】
音声処理回路２０９は、音声セレクタ２０８から供給された音声の音量及び音質を調整する。ここで、音質の調整とは、音声の周波数特性を変化させること、たとえば、低域の強調や高域の強調などを指す。音声処理回路２０９によって音量及び音質が調整された音声は、デジタルアンプ２１０に供給される。なお、音声処理回路２０９が音量及び音質をどのように調整するかについては、ＣＰＵ２１４によって制御される。
【００５３】
デジタルアンプ２１０は、音声処理回路２０９から供給された音声が出力されるようにスピーカ２１１を駆動する。これにより、音声セレクタ２０８によって選択された音声がスピーカ２１１から出力される。
【００５４】
ＣＰＵ２１４は上記各部を制御する。また、ＣＰＵ２１４は、ＨＤＭＩレシーバ２００が携帯電話機１から受信したＣＥＣ（Consumer Electronics Control）コマンドを実行したり、ＨＤＭＩレシーバ２００が携帯電話機１に送信するＣＥＣコマンドを生成したりすることによって、携帯電話機１との連携動作を実現する。
【００５５】
ＲＯＭ２１２は、ＣＰＵ２１４によって実行されるプログラムなどの固定データが格納される、読み出し可能かつ書き込み不可能なメモリである。
【００５６】
ＲＡＭ２１３は、ＣＰＵ２１４が演算のために参照するデータ、及び、ＣＰＵ２１４が演算によって生成したデータなどの可変データが格納される、読み出し可能かつ書き込み可能なメモリである。
【００５７】
（携帯電話機１）
次に、携帯電話機１について説明する。図４は、携帯電話機１の概略構成を示すブロック図である。
【００５８】
図４に示すように、携帯電話機１は、上記のＨＤＭＩ出力端子１１と、ＨＤＭＩトランスミッタ１００と、ＭｉｃｒｏＵＳＢ端子１０１と、ＭｉｃｒｏＵＳＢ用Ｉ／Ｆ１０２と、Ｂｌｕｅｔｏｏｔｈ用Ｉ／Ｆ１０３と、ＷＬＡＮ（Wireless LAN）用Ｉ／Ｆ１０４と、メモリカード１０５（着脱可能）と、ＵＳＩＭ（Universal Subscriber Identity Module）カード１０６（着脱可能）と、ＲＦ部１０７と、音声ＣＯＤＥＣ１０８と、メインコントローラ１０９と、ＬＣＤコントローラ１１０と、ＬＣＤ（第２の表示領域）１１１と、カメラ１１２と、ＦＬＡＳＨメモリ１１３と、ＲＡＭ１１４とを備えている。
【００５９】
携帯電話機１は、たとえば、ＲＦ部１０７及び音声ＣＯＤＥＣ１０８によって実現される通話機能や、Ｂｌｕｅｔｏｏｔｈ用Ｉ／Ｆ１０３またはＷＬＡＮ用Ｉ／Ｆ１０４によって実現される無線通信機能、カメラ１１２によって実現される撮像機能など有している。ただし、このような機能は、一般的な携帯電話機が有している通常の機能であるので、ここではその説明を省略する。
【００６０】
さらに、携帯電話機１は、画像データ（入力コンテンツ）を再生する画像データ再生機能を有している。携帯電話機１が再生可能な画像データとしては、たとえば、静止画データや動画データなどが挙げられる。静止画データや動画データの再生は、たとえば、メインコントローラ１０９がＦＬＡＳＨメモリ１１３から読み出したＪＰＥＧ形式、ＧＩＦ形式（アニメーションＧＩＦを含む）、Ｆｌａｓｈ形式、ＰＮＧ（Portable Network Graphics）形式、ＢＭＰ（BitMap）形式、ＲＡＷ形式、ＴＩＦＦ（Tag Image File Format）形式などの各種画像形式の画像データをデコード変換することによって実現される。
【００６１】
また、メインコントローラ１０９は、ＦＬＡＳＨメモリ１１３の代わりに、ＭｉｃｒｏＵＳＢ端子１０１に接続されたＵＳＢデバイス、あるいは、メモリカード１０５から読み出した静止画データや動画データをデコード変換するようにしてもよい。メインコントローラ１０９によってデコード変換された画像データは、ＨＤＭＩトランスミッタ１００に供給される。ＨＤＭＩトランスミッタ１００は、メインコントローラ１０９から供給された画像データを、ＨＤＭＩケーブル３を介して携帯電話機１に接続されているテレビ２に送信する。この場合、携帯電話機１によって再生された画像データは、テレビ２のＬＣＤ２０７に表示されることになる。
【００６２】
メインコントローラ１０９は、ＨＤＭＩトランスミッタ１００がテレビ２から受信したＣＥＣ（Consumer Electronics Control）コマンドを実行したり、ＨＤＭＩトランスミッタ１００がテレビ２に送信するＣＥＣコマンドを生成したりすることによって、テレビ２との連携動作を実現する。
【００６３】
なお、携帯電話機１は、メインコントローラ１０９によってデコード変換された画像データを、自身のＬＣＤコントローラ１１０に供給することももちろん可能である。この場合であれば、携帯電話機１によって再生された画像データは、携帯電話機１のＬＣＤ１１１に表示されることになる。
【００６４】
（メインコントローラ１０９の構成）
次に、携帯電話機１のメインコントローラ１０９について説明する。
【００６５】
図１は、携帯電話機１のメインコントローラ１０９の構成を示すブロック図である。メインコントローラ１０９は、図１に示すように、記憶部３０と、画像情報取得部３１と、表示倍率取得部（表示倍率確定手段）３２と、拡大率算出部（拡大率算出手段）３３と、条件判定部（条件判定手段）３４と、映像信号フォーマット選択部（選択手段）３５と、拡大縮小処理部（拡大縮小手段）３６と、表示装置情報取得部３７と、映像信号フォーマット格納部３８と、映像出力部３９と、を備えている。
【００６６】
記憶部３０は、ＦＬＡＳＨメモリ１１３や、ＭｉｃｒｏＵＳＢ端子１０１に接続されたＵＳＢデバイス、メモリカード１０５から読み出した静止画データや動画データを受け取り、記憶する。
【００６７】
それら静止画データや動画データは、たとえば、携帯電話機１のカメラ１１２を用いて撮影した静止画データや動画データ、Ｂｌｕｅｔｏｏｔｈ用Ｉ／Ｆ１０３やＷＬＡＮ用Ｉ／Ｆ１０４を用いてインターネットより取得した静止画データや動画データ、メモリカード１０５やＵＳＩＭカード１０６、ＦＬＡＳＨメモリ１１３、ＳＤ（図示省略）より取得した静止画データや動画データなどである。
【００６８】
なお、ストリームの場合は、携帯電話機１の外部から、Ｂｌｕｅｔｏｏｔｈ用Ｉ／Ｆ１０３やＷＬＡＮ用Ｉ／Ｆ１０４を経て、記憶部３０にバッファとして記憶され、リアルタイムに記憶部３０から読み出されることになる。
【００６９】
画像情報取得部３１は、記憶部３０に記憶されている静止画データや動画データといった画像データのサイズや、解像度等の画像情報を取得する。そして、画像情報取得部３１は、画像データの画像情報を拡大率算出部３３及び拡大縮小処理部３６に出力する。
【００７０】
表示倍率取得部３２は、記憶部３０に記憶されている画像データが再生され、テレビ２のＬＣＤ２０７に表示される場合における、その画像データの表示倍率を取得する。この表示倍率は、ＬＣＤ２０７の表示解像度の、画像データの解像度に対する表示倍率を意味する。
【００７１】
なお、上で述べたように、携帯電話機１によって再生された画像データは、携帯電話機１のＬＣＤ１１１に表示される場合もある。この場合、表示倍率取得部３２は、記憶部３０に記憶されている画像データが再生され、携帯電話機１のＬＣＤ１１１に表示される場合における、その画像データの表示倍率を取得する。この点については、後述する実施の形態２で説明する。
【００７２】
また、表示倍率は、携帯電話機１の外部から入力される。たとえば、携帯電話機１の入力キー（図示省略）を用いてユーザ操作により指定されたり、記憶部３０に記憶されている画像データの形式により指定されたりしてもよい。
【００７３】
表示倍率取得部３２は、このようにして表示倍率を取得し、テレビ２のＬＣＤ２０７に画像データを表示させるときの表示倍率を確定させる。
【００７４】
拡大率算出部３３は、映像信号フォーマット格納部３８に格納されている複数の映像信号フォーマットのそれぞれに関し、各映像信号フォーマットを用いたときにおける画像データの拡大率（以下、「第１拡大率」と記す）を算出する。この第１拡大率は、映像信号フォーマットが示す解像度の、画像データの解像度に対する拡大率を意味する。
【００７５】
また、拡大率算出部３３は、映像信号フォーマット格納部３８に格納されている複数の映像信号フォーマットのそれぞれに関し、各映像信号フォーマットを用いて拡大縮小された画像データをテレビ２のＬＣＤ２０７に表示させたときにおける画像データの拡大率（以下、「第２拡大率」と記す）を算出してもよい。この第２拡大率は、テレビ２のＬＣＤ２０７の表示解像度の、映像信号フォーマットが示す解像度に対する拡大率を意味する。
【００７６】
なお、拡大率算出部３３が算出する第１拡大率と第２拡大率とを乗じた値は、上記の表示倍率と一致することになる。
【００７７】
拡大率算出部３３は、画像情報取得部３１から上記の画像情報を、表示倍率取得部３２から上記の表示倍率を、映像信号フォーマット格納部３８から後述する各映像信号フォーマットの映像信号フォーマット情報を、それぞれ、取得する。そして、拡大率算出部３３は、たとえば、上記の画像情報に含まれる画像データの解像度、上記の表示倍率、及び、上記の映像信号フォーマット情報に含まれる各映像信号フォーマットの解像度を用いて、各映像信号フォーマットに関し、それぞれの第１拡大率と第２拡大率とを算出すればよい。
【００７８】
条件判定部３４は、拡大率算出部３３によって算出される、各映像信号フォーマットの第１拡大率及び第２拡大率を取得する。そして、条件判定部３４は、それら第１拡大率及び第２拡大率を基に、各映像信号フォーマットに関し、テレビ２のＬＣＤ２０７に上記の表示倍率を用いて画像データを表示させたときにおける、その画像データの視認性の度合いを判定する。
【００７９】
条件判定部３４は、たとえば、各映像信号フォーマットの何れを選択した場合でも画像データの視認性の度合いが同一であると判断するための視認条件を予め有していればよい。この場合、条件判定部３４は、各映像信号フォーマットの第１拡大率及び第２拡大率、言い換えれば、上記の表示倍率が、上で述べた視認条件を満たすか否かについて判定する。そして、条件判定部３４は、上記の視認条件が満たされる、つまり、何れの映像信号フォーマットを選択しても画像データの視認性の度合いが同一であるとの判定結果（以下、「肯定的判定結果」と記す場合がある）、または、上記の視認条件が満たされない、つまり、映像信号フォーマット間における画像データの視認性の度合いが異なるとの判定結果（以下、「否定的判定結果」と記す場合がある）を、映像信号フォーマット選択部３５に出力する。
【００８０】
映像信号フォーマット選択部３５は、条件判定部３４の判定結果を受け取ると、その判定結果を基にして、映像信号フォーマット格納部３８に格納されている複数の映像信号フォーマットから、何れか１つの映像信号フォーマットを選択する。映像信号フォーマット選択部３５は、その選択を行なうに当たり、映像信号フォーマット格納部３８から各映像信号フォーマットの映像信号フォーマット情報を取得し、参照する。
【００８１】
たとえば、映像信号フォーマット選択部３５は、条件判定部３４の判定結果が上記の肯定的判定結果であった場合、各映像信号フォーマットの映像信号フォーマット情報を参照し、映像信号フォーマット格納部３８に格納されている複数の映像信号フォーマットのうち、可能な限り低解像度の映像フォーマットを選択する。
【００８２】
低解像度の映像信号フォーマットでの画像処理は、高解像度の映像信号フォーマットでの画像処理に比べ、その画像処理を行なう機器の処理能力を必要としない。そのため、上記のような映像信号フォーマットの選択処理によって、装置の処理能力を考慮した拡大縮小処理を、拡大縮小処理部３６に行なわせることができる。
【００８３】
一方、映像信号フォーマット選択部３５は、条件判定部３４の判定結果が上記の否定的判定結果であれば、映像信号フォーマット格納部３８に格納されている複数の映像信号フォーマットのうち、可能な限り高解像度の映像フォーマットを選択すればよい。
【００８４】
映像信号フォーマット選択部３５は、このようにして自身が選択した映像信号フォーマットを拡大縮小処理部３６及び映像出力部３９に出力する。
【００８５】
拡大縮小処理部３６は、画像情報取得部３１から画像データを取得し、その画像データを拡大縮小処理する。拡大縮小処理部３６は、その拡大縮小処理を行なう際、映像信号フォーマット選択部３５によって選択された映像信号フォーマットを用いる。
【００８６】
たとえば、拡大縮小処理部３６は、その選択された映像信号フォーマットの上記の第１拡大率を用いて、画像情報取得部３１から取得した画像データを拡大縮小処理すればよい。
【００８７】
なお、拡大処理としては、たとえば、画像データにおいて隣接画素と同じ画素値を用いて補間画素を生成する拡大処理や、隣接画素の画素値を用いた線形補間により補間画素値を求めて補間画素を生成する拡大処理などを意味する。
【００８８】
また、その縮小処理としては、たとえば、画像データにおいて単純に画素を間引く縮小処理や、画素値の平均画素値を求めて画素を置き換えていく縮小処理などを意味する。
【００８９】
拡大縮小処理部３６は、このようにして拡大縮小処理がなされた画像データを映像出力部３９に出力する。
【００９０】
表示装置情報取得部３７は、たとえば、映像信号フォーマット格納部３８に格納されるべき映像信号フォーマットを取得する。表示装置情報取得部３７は、携帯電話機１の外部から、たとえば、Ｂｌｕｅｔｏｏｔｈ用Ｉ／Ｆ１０３やＷＬＡＮ用Ｉ／Ｆ１０４を経て、それら映像信号フォーマットを取得してもよい。
【００９１】
映像信号フォーマット格納部３８は、上述したように、映像信号フォーマット選択部３５によって選択されるべき複数の映像信号フォーマットを格納する。また、映像信号フォーマット格納部３８は、各映像信号フォーマットに関し、それぞれの解像度を含む、映像信号フォーマット情報を格納する。
【００９２】
映像信号フォーマット格納部３８は、たとえば、テレビ２のＬＣＤ２０７のモード（１０８０ｐ，７２０ｐ）やインチ数、解像度、超解像など、ＬＣＤ２０７の能力やスペックを格納してもよい。映像信号フォーマット格納部３８は、表示装置情報取得部３７及びＨＤＭＩトランスミッタ１００を用いて、テレビ２のＬＣＤ２０７の能力やスペックを取得すればよい。
【００９３】
映像出力部３９は、拡大縮小処理部３６によって拡大縮小された画像データを受け取ると、その画像データをテレビ２のＬＣＤ２０７の解像度に適した表示サイズに拡大縮小した後、ＨＤＭＩトランスミッタ１００に出力する。
【００９４】
たとえば、映像出力部３９は、映像信号フォーマット選択部３５によって選択された映像信号フォーマットの上記の第２拡大率を用いて、拡大縮小処理部３６から取得した画像データを拡大縮小処理すればよい。
【００９５】
なお、第２拡大率を用いた画像データの拡大縮小処理は、テレビ２側で行なってよい。テレビ２は、映像信号フォーマット選択部３５によって選択された第２拡大率、および拡大縮小処理部３６によって拡大縮小された画像データを取得し、上で述べた拡大縮小処理すればよい。
【００９６】
このようにして、メインコントローラ１０９は、テレビ２のＬＣＤ２０７の解像度に適した表示サイズで再生された画像データを、ＨＤＭＩトランスミッタ１００に出力する。
【００９７】
図５は、メインコントローラ１０９のハードウェア構成を示すブロック図である。図５に示すように、メインコントローラ１０９は、各種プログラムの命令を処理するＣＰＵ４１と、メインコントローラ１０９の制御プログラムなどが格納されているＲＯＭ４２と、ＣＰＵ４１が行なう演算の途中結果等を一時的に記憶する、高速に書き込み読み出しが可能なＲＡＭ４３とを有している。
【００９８】
ＣＰＵ４１は、ＲＯＭ４２に格納されているプログラム、ＲＡＭ４３に格納されたプログラムに従って各種の処理を実施する。また、ＣＰＵ４１は、ＲＡＭ４３による各処理に必要なデータを一時記憶する。ＣＰＵ４１は、メインコントローラ１０９全体の制御を行なう。
【００９９】
また、ＣＰＵ４１は、上記のＲＯＭ４２に格納されている所定の制御プログラムにより、図１に示すように、画像情報取得部３１、表示倍率取得部３２、拡大率算出部３３、条件判定部３４、映像信号フォーマット選択部３５、拡大縮小処理部３６、表示装置情報取得部３７、映像出力部３９として機能する。つまり、図１の画像情報取得部３１、表示倍率取得部３２、拡大率算出部３３、条件判定部３４、映像信号フォーマット選択部３５、拡大縮小処理部３６、表示装置情報取得部３７、映像出力部３９は、ハードウェアを用いて実現されている。
【０１００】
このようにして、メインコントローラ１０９は、ハードウェアとソフトウェアとの組み合わせを用いて、上述した機能を実現している。
【０１０１】
（メインコントローラ１０９の動作）
次に、メインコントローラ１０９の動作について説明する。図６は、メインコントローラ１０９の動作を説明するためのフローチャートである。
【０１０２】
図６に示すように、ＦＬＡＳＨメモリ１１３や、ＭｉｃｒｏＵＳＢ端子１０１に接続されたＵＳＢデバイス、メモリカード１０５から読み出した静止画データや動画データがメインコントローラ１０９に入力されると、その静止画データや動画データを記憶部３０が受け取り、記憶する。そして、画像情報取得部３１は、記憶部３０に記憶されている静止画データや動画データといった画像データのサイズや、解像度等の画像情報を取得する（ステップＳ１０１）。
【０１０３】
本ステップＳ１０１においては、表示倍率取得部３２は、記憶部３０に記憶されている画像データが再生され、テレビ２のＬＣＤ２０７に表示される場合における、その画像データの表示倍率を取得してもよい。また、表示装置情報取得部３７は、映像信号フォーマット格納部３８に格納されるべき映像信号フォーマットや、テレビ２のＬＣＤ２０７の能力やスペックを取得してもよい。
【０１０４】
次に、拡大率算出部３３は、映像信号フォーマット格納部３８に格納されている複数の映像信号フォーマットのそれぞれに関し、各映像信号フォーマットを用いたときにおける画像データの第１拡大率を算出する（ステップＳ１０２）。
【０１０５】
本ステップＳ１０２においては、拡大率算出部３３は、映像信号フォーマット格納部３８に格納されている複数の映像信号フォーマットのそれぞれに関し、各映像信号フォーマットを用いて拡大縮小された画像データをテレビ２のＬＣＤ２０７に表示させたときにおける画像データの第２拡大率を算出してもよい。なお、第２拡大率がテレビ２側で決まっている場合には、テレビ２から取得すればよい。
【０１０６】
次に、条件判定部３４は、拡大率算出部３３によって、各映像信号フォーマットの第１拡大率及び第２拡大率が算出されると、それら第１拡大率及び第２拡大率を基に、各映像信号フォーマットに関し、テレビ２のＬＣＤ２０７に上記の表示倍率を用いて画像データを表示させたときにおける、その画像データの視認性の度合いを判定する（ステップＳ１０３）。
【０１０７】
次に、映像信号フォーマット選択部３５は、条件判定部３４の判定結果を受け取ると、その判定結果を基にして、映像信号フォーマット格納部３８に格納されている複数の映像信号フォーマットから、何れか１つの映像信号フォーマットを選択する（ステップＳ１０４）。
【０１０８】
次に、拡大縮小処理部３６は、画像情報取得部３１から画像データを取得し、その画像データを拡大縮小処理する。拡大縮小処理部３６は、映像信号フォーマット選択部３５によって選択された映像信号フォーマットの上記の第１拡大率を用いて、画像情報取得部３１から取得した画像データを拡大縮小処理する（ステップＳ１０５）。
【０１０９】
次に、映像出力部３９は、拡大縮小処理部３６によって拡大縮小された画像データを受け取ると、その画像データをテレビ２のＬＣＤ２０７の解像度に適した表示サイズに拡大縮小した後、ＨＤＭＩトランスミッタ１００に出力する。映像出力部３９は、映像信号フォーマット選択部３５によって選択された映像信号フォーマットの上記の第２拡大率を用いて、拡大縮小処理部３６から取得した画像データを拡大縮小処理する（ステップＳ１０６）。
【０１１０】
なお、本ステップＳ１０６においては、上で述べたように、第２拡大率を用いた画像データの拡大縮小処理をテレビ２側で行なってよい。この場合、テレビ２は、映像信号フォーマット選択部３５によって選択された第２拡大率、および拡大縮小処理部３６によって拡大縮小された画像データを取得し、上で述べた拡大縮小処理すればよい。
【０１１１】
（条件判定部３４及び映像信号フォーマット選択部３５の具体的な動作）
図７を用いて、条件判定部３４及び映像信号フォーマット選択部３５の具体的な動作について説明する。図７は、ＬＣＤ２０７の表示解像度の、画像データの解像度に対する表示倍率がＮ倍である場合を示している。なお、この「Ｎ倍」は、Ｄｏｔ  Ｂｙ  Ｄｏｔの表示を１倍としたものである。
【０１１２】
また、映像信号フォーマット格納部３８に格納されている映像信号フォーマットは、映像信号フォーマットＡ及び映像信号フォーマットＢとする。
【０１１３】
映像信号フォーマットＡ及び映像信号フォーマットＢのそれぞれに関し、拡大率算出部３３によって算出される第１拡大率ｘ、ｚ、及び、第２拡大率ｙ、ｗと、上記の表示場率のＮ倍とは、以下の関係を満たすことになる。
【０１１４】
映像信号フォーマットＡ：Ｎ＝ｘｙ（ｙは固定）
映像信号フォーマットＢ：Ｎ＝ｚｗ（ｗは固定）
但し、ｙ＞ｗとする（つまり、ｚ＞ｘ)
この場合、条件判定部３４及び映像信号フォーマット選択部３５は、閾値α及び閾値βを用いた以下の視認条件条件を基に、映像信号フォーマットＡ及び映像信号フォーマットＢの何れか一方を選択する。
【０１１５】
（１）｜ｘ−ｚ｜＜＝｜α｜または｜ｘ−ｚ｜＞＝｜β｜のとき、映像信号フォーマットＡを選択する。
【０１１６】
（２）｜α｜＜｜ｘ−ｚ｜＜｜β｜のとき、映像信号フォーマットＡを選択する。
【０１１７】
ここで、閾値α及び閾値βは、たとえば、固定値とすればよい。具体的には、１０８０ｐ対応のＴＶであれば、α＝０．１６、β＝０．５を用いればよい。
【０１１８】
また、上で述べたように、テレビ２のＬＣＤ２０７のインチ数を取得し、そのインチ数にあわせてαを増減させてよい。たとえば、インチ数が大きい場合は、画質の荒さが目立つため、αを減らし、フォーマットＢが選択される条件を広くすればよい。
【０１１９】
たとえば、テレビ２のＬＣＤ２０７が１０８０ｐ、７２０ｐサポートのテレビであれば、そのＬＣＤ２０７の解像度は１９２０×１０８０となる。
【０１２０】
フォーマットＡの出力が７２０ｐであれば、その解像度は１２８０×７２０となる。したがって、フォーマットＡの第２拡大率ｙは１．５となる。
【０１２１】
一方、フォーマットＢの出力が１０８０ｐであれば、その解像度は１９２０×１０８０となる。したがって、フォーマットＢの第２拡大率ｗは１となる。
【０１２２】
この場合、閾値α、閾値βがそれぞれ、０．１６、０．５であれば、画像データの解像度が４０００×３０００のとき、Ｎ＜＝０．４８、または、Ｎ＞＝１．５のとき、フォーマットＡが選択され、０．４８＜Ｎ＜１．５のとき、フォーマットＢが選択されることになる。
【０１２３】
（映像信号フォーマットが３つの場合）
映像信号フォーマットが３以上の場合は、各映像信号フォーマットの解像度に応じて順番付けし、その順番に基づいて、上で述べたような２つの映像信号フォーマットの場合と同じ手法の繰り返しを行なえばよい。
【０１２４】
たとえば、上で述べた映像信号フォーマットＡ及び映像信号フォーマットＢに加えて、さらに、映像信号フォーマットＣがあるとする。
【０１２５】
映像信号フォーマットＣ：Ｎ＝ｕｖ（ｖは固定）
但し、ｙ＞ｗ＞ｖとする（つまり、ｕ＞ｚ＞ｘ)
この場合、フォーマットＣは、フォーマットＢよりも処理負荷が高くなると想定されるため、フォーマットＢが適応される条件において、さらなる分岐を設ければよい。
【０１２６】
つまり、上で述べた（２）の｜α｜＜｜ｘ−ｚ｜＜｜β｜の条件において、
（３）｜ｚ−ｕ｜＜＝｜γ｜または｜ｚ−ｕ｜＞＝｜δ｜のとき、映像信号フォーマットＢを選択する。
【０１２７】
（４）｜γ｜＜｜ｚ−ｕ｜＜｜δ｜の時、映像信号フォーマットＣを選択する。
【０１２８】
もちろん、フォーマットＣがフォーマットＡとフォーマットＢとの間の場合には、ｆ−マットＡとフォーマットＣとで条件分けを行い、その後、フォーマットＢとフォーマットＣの条件分けを行なえばよい。
【０１２９】
（閾値α及び閾値β）
閾値α及び閾値βは、たとえば、次のようにして決めることができる。
【０１３０】
上で述べたように、テレビ２のＬＣＤ２０７が１０８０ｐ、７２０ｐサポートのテレビであれば、そのＬＣＤ２０７の解像度は１９２０×１０８０となる。
【０１３１】
フォーマットＡの出力が７２０ｐであれば、その解像度は１２８０×７２０となる。したがって、フォーマットＡの第２拡大率ｙは１．５となる。
【０１３２】
一方、フォーマットＢの出力が１０８０ｐであれば、その解像度は１９２０×１０８０となる。したがって、フォーマットＢの第２拡大率ｗは１となる。
【０１３３】
ここで、４０００×３０００の解像度の画像データにおいて、Ｎ＝１．５の場合、フォーマットＡ、フォーマットＢは下記となり、Ｎがこれより大きい場合は、フォーマットＡ、フォーマットＢのどちらを選択しても、画質の差分は少ない。
【０１３４】
フォーマットＡ：Ｎ＝１．５のとき、ｘ＝１．０，ｙ＝１．５
フォーマットＢ：Ｎ＝１．５のとき、ｚ＝１．５，ｗ＝１．０
この場合、β＝｜ｘ−ｚ｜＝０．５となる。
【０１３５】
４０００×３０００の解像度の画像データをテレビ２のＬＣＤ２０７にぴったり収まるサイズより少し大きな条件で表示すると、フォーマットＡ、フォーマットＢは下記となり、Ｎをこれより小さくした場合は、画質の差分が視認しにくくなる。
【０１３６】
フォーマットＡ：Ｎ＝０．４８のとき、ｘ＝０．３２，ｙ＝１．５
フォーマットＢ：Ｎ＝０．４８のとき、ｚ＝０．４８，ｗ＝１．０
この場合、α＝｜ｘ−ｚ｜＝０．１６となる。
【０１３７】
（ＨＤＭＩトランスミッタ１００及びＨＤＭＩレシーバ２００）
次に、図８を参照して、携帯電話機１が備えているＨＤＭＩトランスミッタ１００と、テレビ２が備えているＨＤＭＩレシーバ２００とについて説明する。図８は、ＨＤＭＩトランスミッタ１００及びＨＤＭＩレシーバ２００の構成を示したブロック図である。
【０１３８】
ＨＤＭＩケーブル３は、コンテンツ（画像信号及び音声信号）を伝送するＴＭＤＳ（Transition Minimized Differential Signaling）ラインと、ＣＥＣコマンドを伝送するＣＥＣラインと、ＥＤＩＤを伝送するＤＤＣ（Display Data Cannel）ラインと、ＨＰＤ（Hot Plug Detect）信号を伝送するＨＰＤラインと、接続検知のためにソース機器によって電圧（対グランド電位）が５Ｖに制御される５Ｖ電力ラインとを備えている。
【０１３９】
ＨＤＭＩトランスミッタ１００は、ＴＭＤＳトランスミッタ１５１と、ＣＥＣ用Ｉ／Ｆ１５２と、ＤＤＣ用Ｉ／Ｆ１５３と、ＨＰＤ検知部１５４と、５Ｖ電力制御部１５５とを備えている。ＨＤＭＩトランスミッタ１００の各部は、メインコントローラ１０９によって制御される。
【０１４０】
ＴＭＤＳトランスミッタ１５１は、ＨＤＭＩケーブル３のＴＭＤＳラインを介してコンテンツを送信するためのインターフェースである。ＴＭＤＳトランスミッタ１５１が送信するコンテンツは、メインコントローラ１０９によってデコードされたコンテンツである。
【０１４１】
ＣＥＣ用Ｉ／Ｆ１５２は、ＨＤＭＩケーブル３のＣＥＣラインを介して伝送されたＣＥＣコマンドを受信するためのインターフェースである。ＣＥＣ用Ｉ／Ｆ１５２が受信したＣＥＣコマンドは、メインコントローラ１０９に供給される。また、ＣＥＣ用Ｉ／Ｆ１５２は、ＨＤＭＩケーブル３のＣＥＣラインを介してＣＥＣコマンドを送信するためのインターフェースである。ＣＥＣ用Ｉ／Ｆ１５２が送信するＣＥＣコマンドは、メインコントローラ１０９から供給される。
【０１４２】
ＤＤＣ用Ｉ／Ｆ１５３は、ＨＤＭＩケーブル３のＤＤＣラインを介して伝送されたＥＤＩＤを受信するためのインターフェースである。ＤＤＣ用Ｉ／Ｆ１５３が受信したＥＤＩＤは、メインコントローラ１０９のＲＡＭ４３に格納される。
【０１４３】
ＨＤＭＩレシーバ２００がＨＤＭＩトランスミッタ１００に接続されたことを検知できるよう、５Ｖ電力制御部１５５は、ＨＤＭＩケーブル３の５Ｖ電力ラインに接続される５Ｖ電力ピンの電圧を５Ｖに制御する。ＨＰＤ検知部１５４は、ＨＤＭＩケーブル３のＨＰＤラインが接続されるＨＰＤピンの電圧をモニタし、その立ち上がりタイミングを検知する。ＨＰＤピンの電圧がＨレベルに立ち上がったことを検知すると、ＨＰＤ検知部１５４は、シンク機器との接続が確立されたことをメインコントローラ１０９及びＤＤＣ用Ｉ／Ｆ１５３に通知する。ＤＤＣ用Ｉ／Ｆ１５３は、ＨＰＤ検知部１５４からこの通知を受けると、ＨＤＭＩレシーバ２００のＤＤＣ用Ｉ／Ｆ２５３を介して、ＥＤＩＤ格納部２５６に格納されているＥＤＩＤを読み出す。
【０１４４】
一方、ＨＤＭＩレシーバ２００は、ＴＭＤＳレシーバ２５１と、ＣＥＣ用Ｉ／Ｆ２５２と、ＤＤＣ用Ｉ／Ｆ２５３と、ＨＰＤ制御部２５４と、５Ｖ電力検知部２５５と、ＥＤＩＤ格納部２５６とを備えている。ＨＤＭＩレシーバ２００の各部は、ＣＰＵ２１４によって制御される。
【０１４５】
ＴＭＤＳレシーバ２５１は、ＨＤＭＩケーブル３のＴＭＤＳラインを介して伝送されたコンテンツを受信するためのインターフェースである。ＴＭＤＳレシーバ２５１が受信したコンテンツは、画像セレクタ２０４及び音声セレクタ２０８に供給される。
【０１４６】
ＣＥＣ用Ｉ／Ｆ２５２は、ＨＤＭＩケーブル３のＣＥＣラインを介して伝送されたＣＥＣコマンドを受信するためのインターフェースである。ＣＥＣ用Ｉ／Ｆ２５２が受信したＣＥＣコマンドは、ＣＰＵ２１４に供給される。また、ＣＥＣ用Ｉ／Ｆ２５２は、ＨＤＭＩケーブル３のＣＥＣラインを介してＣＥＣコマンドを送信するためのインターフェースである。ＣＥＣ用Ｉ／Ｆ２５２が送信するＣＥＣコマンドは、ＣＰＵ２１４から供給される。
【０１４７】
ＤＤＣ用Ｉ／Ｆ２５３は、ＨＤＭＩケーブル３のＤＤＣラインを介してＥＤＩＤを送信するためのインターフェースである。ＤＤＣ用Ｉ／Ｆ２５３が送信するＥＤＩＤは、ＥＤＩＤ格納部２５６から読み出される。
【０１４８】
５Ｖ電力検知部２５５は、ＨＤＭＩケーブル３の５Ｖ電力ラインが接続される５Ｖ電力ピンの電圧をモニタし、その立ち上がりタイミングを検知する。５Ｖ電力ピンの電圧が５Ｖに立ち上がったことを検知すると、５Ｖ電力検知部２５５は、ＨＤＭＩトランスミッタ１００との接続が確立されたことをＣＰＵ２１４及びＨＰＤ制御部２５４に通知する。
【０１４９】
ＨＰＤ制御部２５４は、５Ｖ電力検知部２５５からこの通知を受けると、ＨＤＭＩケーブル３のＨＰＤラインが接続されるＨＰＤピンの電圧をＨレベルに立ち上げる。ＨＤＭＩトランスミッタ１００は、ＨＤＭＩケーブル３のＨＰＤラインに接続されるＨＰＤピンの電圧がＨレベルに立ち上がると、ＨＤＭＩレシーバ２００のＥＤＩＤ格納部２５６に格納されたＥＤＩＤを、ＤＤＣラインを介して読み出す。
【０１５０】
（実施の形態２）
上で述べたように、携帯電話機１によって再生された画像データは、携帯電話機１のＬＣＤ１１１に表示される場合もある。この場合、表示倍率取得部３２は、記憶部３０に記憶されている画像データが再生され、携帯電話機１のＬＣＤ１１１に表示される場合における、その画像データの表示倍率を取得する。
【０１５１】
図９は、本発明の実施の形態２に係る携帯電話機１のメインコントローラ１０９の構成を示すブロック図である。図９に示すように、映像出力部３９は、拡大縮小処理部３６によって拡大縮小された画像データを受け取ると、その画像データをテレビ２のＬＣＤ２０７の解像度に適した表示サイズに拡大縮小した後、携帯電話機１のＬＣＤコントローラ１１０に出力する。
【０１５２】
また、拡大率算出部３３は、実施の形態１と同様、映像信号フォーマット格納部３８に格納されている複数の映像信号フォーマットのそれぞれに関し、各映像信号フォーマットを用いたときにおける画像データの第１拡大率を算出する。
【０１５３】
一方、拡大率算出部３３は、映像信号フォーマット格納部３８に格納されている複数の映像信号フォーマットのそれぞれに関し、各映像信号フォーマットを用いて拡大縮小された画像データを携帯電話機１のＬＣＤ１１１に表示させたときにおける画像データの拡大率（第２拡大率）を算出する。
【０１５４】
（補足）
最後に、メインコントローラ１０９の各ブロックは、ハードウェアロジックによって構成してもよいし、次のようにＣＰＵを用いてソフトウェアによって実現してもよい。
【０１５５】
すなわち、メインコントローラ１０９は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラム及び各種データを格納するメモリ等の記憶装置（記録媒体）などを備えている。そして、本発明の目的は、上述した機能を実現するソフトウェアであるメインコントローラ１０９の制御プログラムのプログラムコード（実行形式プログラム、中間コードプログラム、ソースプログラム）をコンピュータで読み取り可能に記録した記録媒体を、前記メインコントローラ１０９に供給し、そのコンピュータ（又はＣＰＵやＭＰＵ）が記録媒体に記録されているプログラムコードを読み出し実行することによっても、達成可能である。
【０１５６】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５７】
また、メインコントローラ１０９を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０１５８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５９】
本発明に係る電子機器は、エンコードされたコンテンツを出力する電子機器一般に利用することができる。
【符号の説明】
【０１６０】
１    携帯電話機
２    テレビ
３    ＨＤＭＩケーブル
１１    ＨＤＭＩ出力端子
２１    ＨＤＭＩ入力端子
３０    記憶部
３１    画像情報取得部
３２    表示倍率取得部（表示倍率確定手段）
３３    拡大率算出部（拡大率算出手段）
３４    条件判定部（条件判定手段）
３５    映像信号フォーマット部選択部（選択手段）
３６    拡大縮小処理部（拡大縮小手段）
３７    表示装置情報取得部
３８    映像信号フォーマット部格納部
３９    映像出力部
１１１、２０７    ＬＣＤ（表示領域）
【図１】
2012074851.tif 000003
【図２】
2012074851.tif 000004
【図３】
2012074851.tif 000005
【図４】
2012074851.tif 000006
【図５】
2012074851.tif 000007
【図６】
2012074851.tif 000008
【図７】
2012074851.tif 000009
【図８】
2012074851.tif 000010
【図９】
2012074851.tif 000011